(57)【特許請求の範囲】
【請求項１】
回転体に設けたクリック弾接部に弾接してクリック感触を生じさせるクリック弾接体と、
前記回転体のクリック弾接部上を覆う上面板と、前記上面板の対向する両辺部分で同一方向に折り曲げてなる側面板とを有するカバーとを具備し、
前記クリック弾接体は、弾性板からなるアーム部の中間に前記回転体のクリック弾接部に弾接する弾接部を設け、且つアーム部の両端部を取付部とし、これら両取付部と弾接部とを略同一直線上に位置させると共に、前記アーム部を、前記取付部を形成した面から下方に折り曲げてその先で下降する傾斜を緩めた後に逆に上方向に向かいさらにその先で再び下方向に折り曲げて前記弾接部に至らせることで前記取付部から前記弾接部の間で上下に波打つ形状に形成し、
さらに前記クリック弾接体の両取付部を、前記カバーの上面板に固定したことを特徴とするクリック弾接体付きカバー。
【請求項２】
請求項１に記載のクリック弾接体付きカバーの製造方法であって、
前記カバーを形成するカバー用帯状金属板と、前記クリック弾接体を形成するクリック弾接体用帯状金属板とを用意し、
前記カバー用帯状金属板中に、前記カバーの上面板と両側面板が同一平面上となるように形成したカバー素体を、連結部でこのカバー用帯状金属板に保持した状態で連続してプレス加工し、且つこのプレス加工の際にカバーの上面板に前記クリック弾接体の両取付部を取り付ける被取付部を形成する工程と、
前記クリック弾接体用帯状金属板中に、前記クリック弾接体を、連結部でこのクリック弾接体用帯状金属板に保持した状態で連続してプレス加工する工程と、
前記カバー用帯状金属板とクリック弾接体用帯状金属板を交差させてカバー素体とクリック弾接体とを重ね合わせ、カバー素体の各被取付部とクリック弾接体の各取付部間を固定する工程と、
前記カバー素体に取り付けたクリック弾接体をクリック弾接体用帯状金属板から切り離す工程と、
前記クリック弾接体を取り付けたカバー素体の両側面板を折り曲げてカバーを形成した後にこのカバーをカバー用帯状金属板から切り離す工程と、
を具備することを特徴とするクリック弾接体付きカバーの製造方法。
【発明の詳細な説明】
【技術分野】
【０００１】
本発明は、クリック機能付き回転式電子部品の部品として用いられるクリック弾接体付きカバー及びその製造方法に関するものである。
【背景技術】
【０００２】
従来、クリック機能付きの回転式電子部品は、例えば特許文献１に示すように、ケース（６０）の収納部（６１）内に摺動子（５０）を取り付けた回転体（３０）を収納し、その上にクリック弾接体（２０）とカバー（１０）を取り付けて構成されていた。ここでクリック弾接体（２０）は、シャフト（３７）の周囲を囲むように、略リング形状に形成されている。
【先行技術文献】
【特許文献】
【０００３】
【特許文献１】特開２００５−７８８４４号公報
【発明の概要】
【発明が解決しようとする課題】
【０００４】
しかしながら上記特許文献１に示す回転式電子部品においては、クリック弾接体（２０）のアーム部（２２）がシャフト（３７）の周囲を囲むようにリング状に形成されているので、その設置面積が大きくなり、回転式電子部品の小型化が阻害されていた。またクリック弾接体（２０）はこれをケース（６０）に取り付けるためにアーム部（２２）の周囲を囲む枠状の固定部（２１）を設けており、その取付面積が大きくなり、この点からも回転式電子部品の小型化が阻害されていた。また上述のようにクリック弾接体（２０）は大きいので、使用材料も多くなり、材料費の削減も図れなかった。
【０００５】
本発明は上述の点に鑑みてなされたものでありその目的は、クリック弾接体の小型化が図れ、且つクリック弾接体の回転式電子部品内での設置スペースも小さくでき、これらのことから回転式電子部品の小型化を図ることができるクリック弾接体付きカバー及びその製造方法を提供することにある。
【課題を解決するための手段】
【０００６】
本発明にかかるクリック弾接体付きカバーは、回転体に設けたクリック弾接部に弾接してクリック感触を生じさせるクリック弾接体と、前記回転体のクリック弾接部上を覆う上面板と、前記上面板の対向する両辺部分で同一方向に折り曲げてなる側面板とを有するカバーとを具備し、前記クリック弾接体は、弾性板からなるアーム部の中間に前記回転体のクリック弾接部に弾接する弾接部を設け、且つアーム部の両端部を取付部とし、これら両取付部と弾接部とを略同一直線上に位置させると共に、前記アーム部を、前記取付部を形成した面から下方に折り曲げてその先で下降する傾斜を緩めた後に逆に上方向に向かいさらにその先で再び下方向に折り曲げて前記弾接部に至らせることで前記取付部から前記弾接部の間で上下に波打つ形状に形成し、さらに前記クリック弾接体の両取付部を、前記カバーの上面板に固定して構成されている。
クリック弾接体を略直線形状に形成したので、その小型化が図れ、同時に使用材料の削減が図れる。そして小型化したクリック弾接体はカバーの上面板に容易に固定することができ、これによってクリック弾接体の回転式電子部品内での設置スペースを小さくすることができる。一方カバーに略直線形状のクリック弾接体の両端を固定した場合、アーム部が取付部と弾接部から押し縮められようとする力に対して突っ張って弾接部の上下動が阻害される恐れがあるが、本発明によれば、アーム部を、前記取付部を形成した面から下方に折り曲げてその先で下降する傾斜を緩めた後に逆に上方向に向かいさらにその先で再び下方向に折り曲げて前記弾接部に至らせることで前記取付部から前記弾接部の間で上下に波打つ形状に形成したので、弾接部の上下動の際にアーム部は容易に上下に撓み、弾接部の上下動をスムーズに行わせることができ、且つ上下動する長さ（可動領域）を大きく取りことができ、さらにそのヘタリを防止できて耐久性が向上する。これらのことから本発明に係るクリック弾接体付きカバーを用いれば、回転式電子部品の小型化を図ることができ、且つ好適なクリック感触を得ることができる。
【０００７】
また本発明に係るクリック弾接体付きカバーの製造方法は、前記カバーを形成するカバー用帯状金属板と、前記クリック弾接体を形成するクリック弾接体用帯状金属板とを用意し、前記カバー用帯状金属板中に前記カバーの上面板と両側面板が同一平面上となるように形成したカバー素体を連結部でこのカバー用帯状金属板に保持した状態で連続してプレス加工し且つこのプレス加工の際にカバーの上面板に前記クリック弾接体の両取付部を取り付ける被取付部を形成する工程と、前記クリック弾接体用帯状金属板中に前記クリック弾接体を連結部でこのクリック弾接体用帯状金属板に保持した状態で連続してプレス加工する工程と、前記カバー用帯状金属板とクリック弾接体用帯状金属板を交差させてカバー素体とクリック弾接体とを重ね合わせてカバー素体の各被取付部とクリック弾接体の各取付部間を固定する工程と、前記カバー素体に取り付けたクリック弾接体をクリック弾接体用帯状金属板から切り離す工程と、前記クリック弾接体を取り付けたカバー素体の両側面板を折り曲げてカバーを形成した後にこのカバーをカバー用帯状金属板から切り離す工程とを具備して構成されている。
この製造方法によれば、カバー用帯状金属板に連結しているカバー素体に予めクリック弾接体を取り付けた後、このカバー素体をカバーに加工してカバー用帯状金属板から切り離すことでクリック弾接体付きカバーを製造していくので、本発明に係るクリック弾接体付きカバーを効率よく製造していくことができる。これによってカバーに予めクリック弾接体が取り付けられるので、回転式電子部品の組み立て時はクリック弾接体の取付工程を省略でき、その組立作業が簡素化される。
【発明の効果】
【０００８】
本発明によれば、クリック弾接体の小型化が図れ、且つクリック弾接体の回転式電子部品内での設置スペースも小さくでき、これらのことから本発明に係るクリック弾接体付きカバーを用いて組み立てられる回転式電子部品の小型化を図ることができる。
【図面の簡単な説明】
【０００９】
【図１】クリック弾接体付きカバー１５０を用いて構成した回転式電子部品１の斜視図である。
【図２】回転式電子部品１を下側から見た斜視図である。
【図３】回転式電子部品１の分解斜視図である。
【図４】回転式電子部品１を下側から見た分解斜視図である。
【図５】回転式電子部品１の縦断面図（図１のＡ−Ａ断面図）である。
【図６】回転式電子部品１の縦断面図（図１のＢ−Ｂ断面図）である。
【図７】クリック弾接体１００を示す図である。
【図８】クリック弾接体１００の動作説明図（図５と同一部分の断面図）である。
【図９】クリック弾接体付きカバー１５０の製造方法説明図である。
【図１０】クリック弾接体付きカバー１５０の製造方法説明図である。
【図１１】クリック弾接体１００−２を下側から見た斜視図である。
【図１２】クリック弾接体１００−３を示す平面図である。
【図１３】クリック弾接体１００−４を示す平面図である。
【発明を実施するための形態】
【００１０】
以下、本発明の実施形態を図面を参照して詳細に説明する。図１〜図６は本発明に係るクリック弾接体付きカバー１５０を用いて構成された回転式電子部品１を示す図であり、図１は斜視図、図２は下側から見た斜視図、図３は分解斜視図、図４は下側から見た分解斜視図、図５は縦断面図（図１のＡ−Ａ断面図）、図６は縦断面図（図１のＢ−Ｂ断面図）である。これらの図に示すように回転式電子部品１は、ケース１０の回転体収納凹部１３内に、摺動子８０を取り付けた回転体５０の回転体本体部５１を収納し、その上にクリック弾接体１００を取り付けたカバー１３０（クリック弾接体付きカバー１５０）を被せて構成されている。なお以下の説明において、「上」とはクリック弾接体１００からカバー１３０の上面板１３１を見る方向をいい、「下」とはその反対方向をいうものとする。
【００１１】
ケース１０は、合成樹脂製のケース本体１１の内部に回路基板（以下「フレキシブル回路基板」という）３０と複数本（３本）の端子板４５とをインサート成形して構成されている。ケース本体１１は略矩形箱型に形成され、その上面中央に略円形の回転体収納凹部１３を設けている。ケース１０の回転体収納凹部１３を囲む４辺からなる側壁部１５の上面の４つの角部の内の２つの角部の近傍には上方向に突出する突起状の係止部１７が設けられ、他方の２つの角部の近傍には略矩形状に凹むクリック弾接体挿入部１９が設けられている。ケース１０の回転体収納凹部１３を囲む４辺の側壁部１５の内の対向する一対の側壁部１５の中央部分にはその上面から凹状に凹む凹部２３が形成されている。凹部２３の底面は回転体載置部２５となっている。回転体載置部２５は凹部２３が形成されていない側の側壁部１５の内周面にも形成されている。
【００１２】
ケース１０の回転体収納凹部１３の底面には、フレキシブル回路基板３０がその上面を露出して設置されている。フレキシブル回路基板３０の上面には同心円状に２本の摺接パターン３１が形成されており、それらからフレキシブル回路基板３０の外周近傍まで引き出された図示しない端子接続パターン上に各端子板４５の一端部が当接・接続され、この当接接続部の上下にケース１０を成形することで各端子板４５をケース１０に取り付けている。各端子板４５はケース１０の外部に突出した部分で下方向に略直角に折り曲げられている。
【００１３】
回転体５０は合成樹脂の一体成形品であり、略円板状の回転体本体部５１の上面中央から、回転体本体部５１の外径寸法よりもその外径寸法の小さい略円柱状の軸部５３を突出して構成されている。回転体本体部５１はリング状に張り出すケース載置部５５と、ケース載置部５５の上部に階段状に設けられるカバー当接部５７とを有して構成されている。ケース載置部５５の上面の所定位置には凹状のクリック弾接部５９が形成されている。ケース載置部５５の下面には円形に突出する摺動子取付部６１が形成されており、その下面には摺動子取付用の小突起６３が形成されている。軸部５３の上部にはこの軸部５３を図示しないつまみに嵌合するための切り欠き６５が形成されている。
【００１４】
摺動子８０は弾性金属板を略リング形状に形成して構成されており、その所定位置に第１摺接部８１と第２摺接部８３が形成されており、またその所定位置に小孔からなる取付部８５が形成されている。
【００１５】
図７はクリック弾接体１００を示す図であり、図７（ａ）は拡大斜視図、図７（ｂ）は拡大正面図である。同図に示すようにクリック弾接体１００は金属製の弾性板を略帯状で直線状に形成して構成されており、略直線帯状のアーム部１０１の中間に前記回転体５０のクリック弾接部５９に弾接する弾接部１０３を設け、さらにアーム部１０１を弾接部１０３が上下動する方向に向かって撓むように上下に湾曲する形状に形成している。さらにクリック弾接体１００は、アーム部１０１の両端部に円形の貫通孔からなる取付部１０５を設け、これら両取付部１０５と弾接部１０３とが真上から見て略同一直線上に位置する形状としている。アーム部１０１の湾曲形状は図７（ｂ）に示すように、平面状（水平面状）の取付部１０５を形成した面からまず下方に折り曲げられ、その後その下降する傾斜を緩めた後に逆に上方向に向かい、その後再び下方向に折り曲げられて弾接部１０３に至っている。つまりアーム部１０１は取付部１０５から弾接部１０３の間で、上下に波打つ形状に形成されている。
【００１６】
カバー１３０は金属板製であり、略矩形状の上面板１３１の対向する一対の外周辺に接続されている側面板１３３，１３３を略垂直下方に屈曲して構成されている。上面板１３１の中央には上方向に突出する円筒形状の軸支部１３５が形成されている。また上面板１３１の４つの角部の内の前記ケース１０の一対の係止部１７に対向する位置にはそれぞれこれら係止部１７を嵌合する小孔からなる挿入係止部１３７が形成されている。また上面板１３１の４つの角部の内の前記クリック弾接体１００の一対の取付部１０５に対向する位置にはそれぞれこれら取付部１０５に挿入される下方向に突出する被取付部１３９が形成されている。被取付部１３９は下方向に凸状に突出するために上面板１３１の上面側では凹部となっている。
【００１７】
側面板１３３は略矩形状であって、その下辺の中央には下方向に向かって舌片状に突出する他部材取付部１４１が設けられ、またその下辺の左右両側には下方向に向かって舌片状に突出するケース取付部１４３が設けられている。
【００１８】
次に回転式電子部品１の組立方法を説明する。まず予めカバー１３０の一対の被取付部１３９をクリック弾接体１００の一対の取付部１０５に挿入し、各被取付部１３９の先端をかしめることによってカバー１３０の上面板１３１の下面にクリック弾接体１００を取り付け、これによって本発明に係るクリック弾接体付きカバー１５０を製造しておく（クリック弾接体付きカバー１５０の製造方法は別途下記する）。また予め回転体５０下面の摺動子取付部６１に摺動子８０を配置し、その際回転体５０下面の小突起６３を摺動子８０の取付部８５に挿入し、その先端を熱かしめして、回転体５０に摺動子８０を取り付けておく。
【００１９】
そして摺動子８０を取り付けた回転体５０の回転体本体部５１をケース１０の回転体収納凹部１３内に収納し、その際ケース載置部５５の下面をケース１０の回転体載置部２５の上面に当接・載置する。
【００２０】
次に前記ケース１０の上にカバー１３０（クリック弾接体付きカバー１５０）を被せ、その際回転体５０の軸部５３をカバー１３０の軸支部１３５に挿入する。カバー１３０の上面板１３１をケース１０の上面に当接し、その際クリック弾接体１００の両端部分はケース１０のクリック板挿入部１９内に収納され、またケース１０の係止部１７はカバー１３０の挿入係止部１３７に挿入され位置決めされる。またこのときカバー１３０の両側面板１３３，１３３はケース１０の対向する両外周側面に当接する。そしてカバー１３０の各ケース取付部１４３の先端部分をケース１０の下面に折り曲げてカバー１３０とケース１０とを一体化すれば、回転式電子部品１が完成する。なお上記組立手順はその一例であり、他の各種異なる組立手順を用いて組み立てても良いことはいうまでもない。
【００２１】
上記回転式電子部品１において回転体５０を回転すれば、摺動子８０がフレキシブル回路基板３０の摺接パターン３１上を摺動し、各端子板４５間の電気的出力が変化する。
【００２２】
このとき同時にクリック弾接体１００の弾接部１０３は、図８に示すように、回転体５０のケース載置部５５の上面を弾接しながら相対的に摺動し、図５に示すように弾接部１０３がクリック弾接部５９に係合した際にクリック感触を生じる。つまり弾接部１０３はクリック弾接部５９に係合したときと係合していないときとで上下動する。一方クリック弾接体１００はその両端がカバー１３０に固定されているので、もしもアーム部１０１が上下方向に湾曲していなくて直線状に形成されていたとすると、弾接部１０３が上昇する際にその両側のアーム部１０１が取付部１０５と弾接部１０３から押し縮められようとする力に対して突っ張り、弾接部１０３が上昇しにくくなる。つまり弾接部１０３の上下動がスムーズに行えなくなるばかりか、クリック弾接部５９を離脱した金属製の弾接部１０３が合成樹脂製のケース載置部５５の上面を直接強く弾接して擦ることになるので静電気が発生して静電ノイズの原因となる。また弾接部１０３が強くケース載置部５５の上面に弾接すると、クリック弾接体１００にいわゆるヘタリが生じその耐久性がなくなるばかりかクリック弾接部５９を形成する凹部の角部が削れて鋭角でなくなり、これらのことからクリック感触が劣化する恐れもある。これに対してこの回転式電子部品１ではクリック弾接体１００のアーム部１０１を上下に湾曲する形状に形成しているので、アーム部１０１に取付部１０５と弾接部１０３から押し縮めようとする力が作用した際にアーム部１０１が上下方向に撓み易く（撓むことでアーム部１０１の長さを伸縮して前記力を吸収し易く）、弾接部１０３の上下動をスムーズに行わせることができ、且つ弾接部１０３が上下動する長さ（可動領域）を大きく取ることができ、またクリック弾接体１００にいわゆるヘタリが生じにくくて耐久性が向上し、またクリック弾接部５９を形成する凹部の角部が削れることもなく、これらのことから良好なクリック感触を得ることができ、その感触が経時的に劣化することも防止できる。
【００２３】
以上説明したように、クリック弾接体付きカバー１５０は、クリック弾接体１００が略直線形状に形成されるので、その小型化が図れる。そして小型化したクリック弾接体１００はカバー１３０の上面板１３１に固定することができ、これによってクリック弾接体１００の回転式電子部品１内での設置スペースを小さくすることができる。一方カバー１３０に略直線形状のクリック弾接体１００の両端を固定した上でアーム部１０１を上下に湾曲する形状に形成したので、上述のように弾接部１０３の上下動をスムーズに行わせることができる。これらのことから上記クリック弾接体付きカバー１５０を用いれば、回転式電子部品１の小型化を図ることができると同時に、好適なクリック感触を得ることができる。
【００２４】
次にクリック弾接体付きカバー１５０の製造方法を説明する。図９，図１０はクリック弾接体付きカバー１５０の製造方法説明図である。クリック弾接体付きカバー１５０を製造するには、まず図９に示すカバー用帯状金属板２００とクリック弾接体用帯状金属板３００とを用意する。
【００２５】
カバー用帯状金属板２００は、帯状で長尺な金属板中に、前記カバー１３０の上面板１３１と両側面板１３３，１３３が同一平面上となるように形成したカバー素体１３０Ａを、連結部２０１でカバー用帯状金属板２００に保持した状態で連続してプレス加工することで形成される。このプレス加工の際にはカバー１３０の上面板１３１にクリック弾接体１００の両取付部１０５を取り付ける被取付部１３９を同時に形成する。つまりカバー用帯状金属板２００には長手方向に向かって複数のカバー素体１３０Ａが連続して形成されている。
【００２６】
一方クリック弾接体用帯状金属板３００は、帯状で長尺な金属板中に、クリック弾接体１００を、連結部３０１でクリック弾接体用帯状金属板３００に保持した状態で連続してプレス加工することで形成される。つまりクリック弾接体用帯状金属板３００には長手方向に向かって複数のクリック弾接体１００が連続して形成されている。
【００２７】
そして図９に示すように、カバー用帯状金属板２００とクリック弾接体用帯状金属板３００を交差（図では直交）させてカバー素体１３０Ａとクリック弾接体１００とを重ね合わせる。なおそれぞれの帯状金属板２００，３００の送り方向は図に矢印で示している。重ね合わせるのは送り方向に向かってクリック弾接体１００を取り付けていない先頭のカバー素体１３０Ａとクリック弾接体用帯状金属板３００の先頭のクリック弾接体１００とである。
【００２８】
そしてカバー素体１３０Ａの一対の被取付部１３９をクリック弾接体１００の一対の取付部１０５に挿入してそれらの先端をかしめ、これによってカバー素体１３０Ａの各被取付部１３９とクリック弾接体１００の各取付部１０５間を固定する。
【００２９】
次にカバー素体１３０Ａに取り付けたクリック弾接体１００の両側の接続部３０１を切断することで、クリック弾接体１００をクリック弾接体用帯状金属板３００から切り離す。両接続部３０１は、カバー素体１３０Ａの上面板１３１と両側面板１３３，１３３の間に形成されているスリット状の空隙ａ１，ａ１に露出しているので、その切断は容易である。
【００３０】
次に図１０に示すように、前記クリック弾接体１００を取り付けたカバー素体１３０Ａの両側面部１３３，１３３を略直角に折り曲げてカバー１３０を形成する。そして次に連結部２０１を切断することでカバー１３０をカバー用帯状金属板２００から切り離せば、クリック弾接体付きカバー１５０の組み立てが完了する。
【００３１】
以上説明したクリック弾接体付きカバー１５０の組み立て方法によれば、カバー用帯状金属板２００に連結しているカバー素体１３０Ａに、予めクリック弾接体１００を取り付けた後、このカバー素体１３０Ａをカバー１３０に加工してカバー用帯状金属板２００から切り離すことでクリック弾接体付きカバー１５０を製造していくので、クリック弾接体付きカバー１５０の製造を効率よく行うことができる。これによってカバー１３０に予めクリック弾接体１００が取り付けられるので、回転式電子部品１の組み立て時はクリック弾接体１００の取付工程を省略でき、その組立作業も簡素化される。
【００３２】
図１１は本発明に用いることができる他の構造のクリック弾接体１００−２を下側から見た斜視図である。同図に示すクリック弾接体１００―２は、金属製の弾性板を略帯状で直線状に形成してなるクリック弾接体本体１１１−２と金属製の転がり弾接体１１３−２とを具備して構成されている。クリック弾接体本体１１１−２は略直線帯状のアーム部１０１−２の両端近傍に取付部１０５−２を設け、中間に前記転がり弾接体１１３−２を回転自在に保持する弾接体保持部１１５−２を設けて構成されている。弾接体保持部１１５−２はその両側部から突出する側壁部１１７−２を下方向に略直角に折り曲げ、両側壁部１１７−２の下端辺を略円弧状に凹ませることで軸受部１１９−２を形成して構成されている。アーム部１０１−２は、弾接体保持部１１５−２の両側において、下記する弾接部１０３−２が上下動する方向に向かって撓むように上下に湾曲する形状に形成されている。具体的にはアーム部１０１−２の湾曲形状は、平面状（水平面状）の取付部１０５−２を形成した面からまず下方に折り曲げられ、その後その下降する傾斜を緩めた後に逆に上方向に向かい、その後ほぼ水平面となるように折り曲げられて弾接体保持部１１５−２に至っている。つまりアーム部１０１−２は取付部１０５−２から弾接体保持部１１５−２の間で、上下に波打つ形状に形成されている。一方転がり弾接体１１３−２は円板状の弾接部１０３−２の両側面中央から軸部１２１−２を突出して構成されている。そして転がり弾接体１１３−２を両側壁部１１７−２の間に挿入し、転がり弾接体１１３−２の両軸部１２１−２を両軸受部１１９−２に挿入して回動自在に支持することで、クリック弾接体１００−２が構成される。
【００３３】
以上のことから明らかなように、クリック弾接体１００−２は、アーム部１０１−２の両端部を取付部１０５−２とし、これら両取付部１０５−２と弾接部１０３−２とを略同一直線上に位置させる形状に形成し、さらにアーム部１０１−２を上下方向に湾曲させて構成されている。そしてこのクリック弾接体１００−２のカバー１３０への取り付けは、上記クリック弾接体本体１１１−２を前記図９，図１０に示す方法でカバー１３０に取り付け、その後転がり弾接体１１３−２を弾接体保持部１１５−２に装着することによって行う。
【００３４】
図１２，図１３は本発明に用いることができるさらに他の構造のクリック弾接体１００−３，１００−４を示す平面図である。図１２に示すクリック弾接体１００−３と前記図７に示すクリック弾接体１００は略同様の構成であり、相違点は、クリック弾接体１００−３の弾接部１０３の幅寸法を、その両側の取付部１０５を設けた面の幅寸法よりも大きくし、これによって弾接部１０３の両側の略直線帯状のアーム部１０１の幅寸法を、弾接部１０３から離れるに従って小さくなるように構成した点である。一方図１３に示すクリック弾接体１００−４と前記図７に示すクリック弾接体１００も略同様の構成であり、相違点は、クリック弾接体１００−４の弾接部１０３の幅寸法を、その両側の取付部１０５を設けた面の幅寸法よりも小さくし、これによって弾接部１０３の両側の略直線帯状のアーム部１０１の幅寸法を、弾接部１０３から離れるに従って大きくなるように構成した点である。以上のことから明らかなように、クリック弾接体１００−３，４においても、両取付部１０５と弾接部１０３とを略同一直線上に位置させる形状に形成し、さらにアーム部１０１を上下方向に湾曲して構成している。
【００３５】
なお上記各実施形態において、クリック弾接体１００（１００−２〜４）は、「両取付部１０５と弾接部１０３とを略同一直線上に位置させる」構成であるとしたが、ここでいう「略同一直線上」とは、必ずしも完全に同一直線上でなくても良く、弾接部１０３が上昇した際にアーム部１０１に取付部１０５と弾接部１０３から押し縮めて撓ませる力が働く構成であれば同一直線上から少しずれていても良いことを意味する。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、クリック弾接体１００やカバー１３０やカバー用帯状金属板２００やクリック弾接体用帯状金属板３００の形状・構造に種々の変更が可能であることは言うまでもない。
【符号の説明】
【００３７】
１  回転式電子部品
１０  ケース
５０  回転体
５９  クリック弾接部
８０  摺動子
１００  クリック弾接体
１０１  アーム部
１０３  弾接部
１０５  取付部
１３０  カバー
１３０Ａ  カバー素体
１３１  上面板
１３３  側面板
１３９  被取付部
１５０  クリック弾接体付きカバー
２００  カバー用帯状金属板
２０１  連結部
３００  クリック弾接体用帯状金属板
３０１  連結部
【図１】
0005735400.tif 000002
【図２】
0005735400.tif 000003
【図３】
0005735400.tif 000004
【図４】
0005735400.tif 000005
【図５】
0005735400.tif 000006
【図６】
0005735400.tif 000007
【図７】
0005735400.tif 000008
【図８】
0005735400.tif 000009
【図９】
0005735400.tif 000010
【図１０】
0005735400.tif 000011
【図１１】
0005735400.tif 000012
【図１２】
0005735400.tif 000013
【図１３】
0005735400.tif 000014